(57)【要約】【課題】  アドレスからトップスイングに移行する際に使われるリストコックにおいては、薬指を中心にして捻るように手首を曲げる態様が最も適切であることを認識し、この認識に合わせるように、練習用具の改良を図る。【解決手段】  実施形態のリストバンドＬは、図１に示したように、アドレスしたときの時点での手の甲を基準に、その右手の甲１と手首２の境界３の略中点３０から薬指方向４及びその反対方向５に直線状に延び、且つ、横断面がアーチ形状の発音部材としての鋼板６と、この鋼板６を前記境界３の略中点３０上において固定するバンド７から構成されている。【選択図】        図１
2007325695.tif 000002
【特許請求の範囲】
【請求項１】
アドレスしたときの、その時点での手の甲を基準に、その手の甲と手首の境界の略中点から薬指方向及びその反対方向に直線状に延び、且つ、弾性変形の際に発音する発音部材と、この発音部材を前記略中点において固定するバンドからなることを特徴とするリストバンド。
【請求項２】
前記発音部材は、薬指方向の先端に設けられた先端接触部材と、その反対方向の基端に設けられた基端接触部材とを備えることによって、前記発音部材と手の甲との間に空間が形成されることを特徴とする請求項１に記載のリストバンド。
【請求項３】
前記バンドは、手の甲と手首との境界部分に対する圧着力が備わったエンドレスバンドと、その外側の締付けバンドからなることを特徴とした請求項１又は２に記載のリストバンド。
【請求項４】
前記基端接触部材は、前記境界の略中点を略頂点として、概ね三角形状に形成されていることを特徴とした請求項２又は３に記載のリストバンド。
【発明の詳細な説明】
【技術分野】
【０００１】
本発明は、ゴルフ練習用具としてのリストバンドに関するものである。
【背景技術】
【０００２】
ゴルフスイングの練習は、アドレス、バックスイングからフォロースルー、フィニッシュまでの一連の流れにおいて、適正なスイングが出来るように練習するのが一般的である。
このゴルフスイングのポイントの１つは、クラブヘッドのフェースの向きがスイングプレーンに対応して常に適正であるか否かの点である。
しかしその適正なフェースの向きは、テキストの理論や指導者の理想的なものであり、思うようにはなかなか出来ないのが実情である。そこで少しでも理想のフォームに近づくために、色々なゴルフスイング練習用具が考案されている。
出願人自身も、クラブヘッドのフェースの向きに影響を与える手首の曲りをプレイヤー自身が簡単に認識できるようにするための「手首の曲り矯正用練習用具」を開発している（特許文献１）。
【特許文献１】実開平７−４４６５７
【発明の開示】
【発明が解決しようとする課題】
【０００３】
ところで、「手首の曲り」を練習するについてもその詳細な態様は種々である。
例えば、スイングの一連の流れにおいて、どの段階の「手首の曲り」を問題とするのか、また特定のスイング段階において、手首を甲側に曲げるのか、手のひら側に曲げるのか、手首を捻るものか、単純に曲げるものか等、態様も種々である。
このような種々の態様の中で、出願人等は、アドレスからトップスイングに移行する際に使われるリストコックにおいては、薬指を中心にして捻るように手首を曲げる態様が最も適切であることを認識し、この認識に合わせるように、上記練習用具の改良を図り、本発明を完成させたものである。
【課題を解決するための手段】
【０００４】
本発明は、アドレスしたときの、その時点での手の甲を基準に、その手の甲と手首の境界の略中点から薬指方向及びその反対方向に直線状に延び、且つ、弾性変形の際に発音する発音部材と、この発音部材を前記略中点において固定するバンドからなることを特徴とするリストバンドである（請求項１の記載の発明）。
【０００５】
上記発明において、前記発音部材は、薬指方向の先端に設けられた先端接触部材と、その反対方向の基端に設けられた基端接触部材とを備えることによって、前記発音部材と手の甲との間に空間が形成されることを特徴とするリストバンドとした（請求項２に記載の発明）。
【０００６】
上記発明において、前記バンドは、手の甲と手首との境界部分に対する圧着力が備わったエンドレスバンドと、その外側の締付けバンドからなることを特徴とするリストバンドとした（請求項３に記載の発明）。
【０００７】
上記発明において、前記基端接触部材は、前記境界の略中点を略頂点として、概ね三角形状に形成されていることを特徴としたリストバンドとした（請求項４に記載の発明）。
【発明の効果】
【０００８】
本発明によると、発音部材が発音することにより本人自身が手首の曲りを認識することができ、練習時の補助者等を必要とすることなく、練習条件の制約が少なくなる。
特に、アドレスからトップスイングに移行する際に使われるリストコックにおいて、薬指側を意識しながら手首を捻ると、発音部材がクリアに発音することによりプレイヤー自身のリストコックのタイミングを明確に認識することができる。
【発明を実施するための最良の形態】
【０００９】
上記リストバンドの実施形態を図面に基づいて詳細に説明する。
図１はプレイヤーの右手に装着されたリストバンドの平面図、図２は同リストバンドの側面図、図３はリストバンドの斜視図、図４は図３のＡ−Ａ矢視断面図、図５は図３のＢ−Ｂ矢視断面図である。
なお、以下の実施形態では「右利き」プレイヤー用のリストバンドについて記述する。
【００１０】
実施形態のリストバンドＬは、図１に示したように、アドレスしたときの時点での手の甲を基準に、その右手の甲１と手首２の境界３の略中点３０から薬指方向４及びその反対方向５に直線状に延び、且つ、横断面がアーチ形状の発音部材としての鋼板６と、この鋼板６を前記境界３の略中点３０上において固定するバンド７から構成されている。
【００１１】
前記鋼板６は、薬指方向４の先端４０に設けられた先端接触部材６０と、その反対方向５の基端５０に設けられた基端接触部材６１とによって、前記鋼板６と手の甲１との間に空間８が形成されるようになっている。
この空間８は、前記鋼板６が弾性変形で発音する場合に、発音のエネルギーが手の甲１側に吸収されないようにするものである。
【００１２】
横断面がアーチ形状の前記鋼板６は、これに荷重が加わると変形し、その際に発音すると共に、荷重が除去される際にも発音しつつ、変形前の形状に戻るものである。このような鋼板６は、横断面がアーチ形状の長方形の鋼板を焼入れして得ることができる。
【００１３】
前記鋼板６の寸法は、先端４０が薬指の付根付近まで延び、その反対の基端５０が前記境界３の手首２側の骨凸部２０（手首の尺骨、橈骨）と同一程度又は若干越える程度の長さとなっている。具体的な寸法は、男性用、女性用等、各プレイヤー毎の各サイズに対応できるように、Ｓ・Ｌ・Ｍの種類を用意すればよいが、概ね、全長が約８乃至１０センチメール、横幅が約１センチメール程度であればよい。
【００１４】
前記先端接触部材６０は、図４に示したように手の甲１に接する下接触部６０ａと、この下接触部６０ａと共に前記鋼板６の先端４０を包む上接触部６０ｂからなる。
上下接触部６０ａ、６０ｂは、概ね円盤状に形成され、また前記下接触部６０ａの手の甲１に接する面６０ｃは、皮膚にフィットするような湾曲が形成されている。
【００１５】
前記基端接触部材６１は、手首２に接する下接触部６１ａと、この下接触部６１ａと共に前記鋼板６の基端５０を包む上接触部６１ｂからなる。
上下接触部６１ａ、６１ｂは、手首２側の骨凸部２０を避けることができ、且つ、手首２の略中央に配置できるように、前記境界３の略中点３０を略頂点として概ね三角形状に形成されている。
また前記下接触部６１ａの手首２に接する面６１ｃは、手首２の皮膚にフィットするような湾曲が形成されている。
前記鋼板６の両端４０、５０の上下面は、各接触部材６０、６１に挟まれており、下接触部６０ａ、６１ａの高さ分が前記空間８を形成している。
【００１６】
以上のように構成される鋼板６は、全体が人工皮革等のカバー９によって化粧されている。
なお、発音部材は、前記アーチ形状の鋼板６に限定されるものではなく、弾性変形の際に発音する部材であれば、その材質は問われない。
【００１７】
前記バンド７は、図３に示したように、右手の甲１と手首２との境界部分に対する圧着力が備わったエンドレスバンド７０と、その外側の締付けバンド７１からなる。
【００１８】
前記エンドレスバンド７０は、例えばリング状のゴムバンド等で収縮自在で作られており、その一部７０ａが前記カバー９の裏側に固定されている。
【００１９】
前記締付けバンド７１は、例えば帯状の編成繊維等で作られており、その表面７１ａには面ファスナ７１ｂが取付けられている。
そして、前記締付けバンド７１の一端側７１ｃが、前記カバー９の表側に、且つ、前記カバー９を跨ぐように固定され、締付けバンド７１の他端側７１ｄに取付けられている面ファスナ７１ｅによって、締付け幅を自由に調整できるようになっている。
【００２０】
なお、前記エンドレスバンド７０及び前記締付けバンド７１の前記カバー９に対する固定方法は、上記方法に限定されるものではなく、前記エンドレスバンド７０及び前記締付けバンド７１をカバー９の裏側に固定してもよく、カバー９の表側に固定してもよい。
【００２１】
以上のように構成されたリストバンドＬの使用例を説明する。
右手を前記エンドレスバンド７０に通し、手首２側の骨凸部２０に隣接させて基端接触部材６０を配置し、前記締付けバンド７１の面ファスナ７１ｅを、前記面ファスナ７１ｂに接着させて、前記リストバンドＬを右手にセットする。
このようにセットされたリストバンドＬは、図１のように、アドレスしたときの時点での手の甲１を基準にした場合、前記鋼板６が薬指方向に延びるように位置付けられる。
【００２２】
前記リストバンドＬを装着したプレイヤーＰが、図６に示したようにアドレス（１）からバックスイング（２）〜（４）にスイングを移行させる場合に、その把持するグリップが腰の高さ以上に位置したときから、リストコックを開始することが望ましい。
そのことを意識して、プレイヤーがリストコックを開始すると、図６に示したように前記鋼板６が境界３付近で折れて発音する。
このとき、薬指を捻るようにして手首を折ると、前記鋼板６が曲がり易く、且つ、クリアな綺麗な音を発音する。よって、プレイヤー自身のリストコックのタイミングを明確に認識することができる。
しかし、人指指等を中心にそのまま略９０度に甲側に手首を折ると、前記鋼板６が曲がり難く、また鈍い音に発音される。
よって、発音の種類によっても、手首の曲り状態を把握することができる。
【００２３】
以上のようなリストバンドＬの作用効果をまとめると次のようである。
（ａ）  アドレスからトップスイングに移行する際に使われるリストコックにおいて、薬指側を意識しながら手首を捻ると、鋼板６が折れてクリアに発音する。よって、プレイヤー自身のリストコックのタイミングを明確に認識することができ、リストコックの修正の資料とすることができる。
（ｂ）  前記鋼板６は、薬指方向４及びその反対方向５に直線状に延びているので、薬指を捻るようにして手首を折ると、前記鋼板６が曲がり易く、且つ、クリアな綺麗な音を発音するが、人指指等を中心にそのまま略９０度に甲側に手首を折ると、前記鋼板６が曲がり難く、折れたときに鈍い音に発音される。
よって、発音の種類によっても、手首の曲り状態を把握することができる。
（ｃ）  カバー９により化粧される鋼板６は、エンドレスバンド７０と締め付けバンド７１により、サンドイッチ状に固定されているので、安定した状態で鋼板６が薬指方向に延びるように位置付けられる。
（ｄ）  リストバンドＬは、エンドレスバンド７０と締め付けバンド７１により２重に手首に固定されるので、ズレが防止でき、安定した状態で鋼板６が薬指の付根方向に延びるように位置付けられる。
（ｅ）  概ね三角形状に形成され、前記中点３０にその頂点が位置される前記基端接触部材６０は、手首の略中央に配置できるようになっており、安定的にリストバンドを固定でき、その結果、前記鋼板を強固に固定でき、繰り返しの練習にも耐えることができるようになっている。
（ｆ）  カバー９により化粧される鋼板６とバンド７からなり、構成要素が少なく、コンパクトで軽く、携帯し易いし、また手首にセットしても目立ち難いように構成されている。
【００２４】
上記実施形態では「右利き」プレイヤー用のリストバンドについて記述したが、「左利き」プレイヤー用に構成しても有用である。
【図面の簡単な説明】
【００２５】
【図１】プレイヤーの右手に装着されたリストバンドの平面図、
【図２】同リストバンドの側面図、
【図３】リストバンドの斜視図、
【図４】図３のＡ−Ａ矢視平面図、
【図５】図３のＢ−Ｂ矢視平断面図、
【図６】使用例図である。
【符号の説明】
【００２６】
Ｌ  リストバンド                        １  右手の甲
２  手首                                ３  境界
４  薬指方向                            ５  反対方向
６  鋼板                                ７  バンド
８  空間                                ９  カバー
２０  骨凸部
３０  略中点                            ４０  先端
５０  基端
６０  先端接触部材
６０ａ  下接触部                        ６０ｂ  上接触部
６０ｃ  手の甲１に接する面
６１  基端接触部材
６１ａ  下接触部                        ６１ｂ  上接触部
６１ｃ  手首２に接する面
７０  エンドレスバンド
７０ａ  一部
７１  締付けバンド
７１ａ  表面                            ７１ｂ  面ファスナ
７１ｃ  一端側                          ７１ｄ  他端側
７１ｅ  面ファスナ
【図１】
2007325695.tif 000003
【図２】
2007325695.tif 000004
【図３】
2007325695.tif 000005
【図４】
2007325695.tif 000006
【図５】
2007325695.tif 000007
【図６】
2007325695.tif 000008